(57)【要約】      （修正有）【課題】壁に吊り下げ可能、卓上等に立設可能であり、さらに未使用時にはコンパクトに収納でき、しかも簡単な操作で、これらの機能切換を実現できる紙葉ホルダを提供する。【解決手段】色紙、写真等を装着した額本体１と、２枚の板体１０ａ、１０ｂが一辺１１で折り曲げ自在に連接してなる支持板１０とから構成され、支持板１０ａの上端辺がファスナ片１３で額本体１の裏面中央部の面ファスナ５に接離自在とされ、かつ連接辺１１と平行な他端辺１４に突部１５ａ，１５ｂを設けて額本体１の下端辺１ａと、係脱自在に構成し、額本体１の下端辺１ａを突部１５ａ，１５ｂに係止して額本体１を卓上に立てて保持する場合と、額本体１の下端辺１ａを突部１５ａ，１５ｂから離脱させることにより、額本体１に沿って支持板１０ａ，１０ｂを吊り下げる場合とを選択可能とする。【選択図】図３
0003146033.tif 000002
【実用新案登録請求の範囲】
【請求項１】
色紙、写真等の紙葉を装着した額本体と、少なくとも２枚の板体が一辺で折り曲げ自在に連接してなる支持板とから構成され、
前記支持板の連接辺と平行な一端辺が前記額本体の下端辺あるいは裏面中央部に接続され、かつ前記連接辺と平行な他端辺が前記裏面中央部あるいは前記下端辺と接離自在に係止する係止部を設け、
前記支持板を前記係止部で係止することにより前記額本体を前記支持板にて立てて保持する場合と、前記係止部を離脱させることにより、前記額本体に沿って前記支持板を吊り下げる場合とを選択可能としたことを特徴とする紙葉ホルダ。
【請求項２】
前記支持板の一端辺から他端辺までの長さと、前記額本体の上下方向の長さを同一に設定したことを特徴とする請求項１記載の紙葉ホルダ。
【請求項３】
前記支持板は、前記額本体裏面の中央部と一端辺が接着手段により接離自在に接続され、他端辺近傍に係止突部を設け、この係止突部で前記額本体の下端辺を係止するようにしたことを特徴とする請求項１又は請求項２記載の紙葉ホルダ
【請求項４】
前記支持板の一端辺と前記額本体裏面の中央部とを接離する接着手段は、面ファスナーであることを特徴とする請求項３記載の紙葉ホルダ
【請求項５】
前記支持板の一端辺と前記額本体裏面の中央部とを接離する接着手段は、磁石板であることを特徴とする請求項３記載の紙葉ホルダ
【請求項６】
前記支持板は、前記一端辺が前記額本体の下端辺に一体的に、折り曲げ自在に接続され、他端辺が前記額本体の裏面中央部に形成される係止突部で係止されるようにしたことを特徴とする請求項１又は請求項２記載の紙葉ホルダ。
【考案の詳細な説明】
【技術分野】
【０００１】
この考案は、色紙、写真などの紙葉を、壁などに掛け、あるいは卓上などに立てて展示し得る紙葉ホルダに関する。
【背景技術】
【０００２】
一般に、絵や書が直接に書かれ、あるいは描かれた紙葉を貼付した色紙や、台紙に添付した写真が、住宅、会社などの応接室や展示会で展示されることが頻繁にある。この色紙や台紙を通常は、良好な保管状態とし、展示時には壁掛けが容易なように、基台中央部に色紙大の透明資材を上下縁において止着することにより張設し、この基台上下辺に折り畳み自在な側板を備え、一方の側板に懸架用の紐部材を取り付け、展示時には紐部材により壁に吊し、収納板の形状が色紙を中心とした長方形となり、掛け軸のような重厚な装飾品となり、未使用時は色紙を収納したまま折り畳むことにより良好な保存状態を維持し得るとした色紙収納袋が開示されている（例えば特許文献１参照）。
【特許文献１】実用新案登録第３０３６３８０号公報
【考案の開示】
【考案が解決しようとする課題】
【０００３】
色紙、台紙を装着した紙葉ホルダは、住宅、会社、美術館、展示会などで作品の展示に使用されることが多く、展示の状況に応じて、壁などに吊り下げることができ、また卓上などに立てて展示することが望ましい。しかも未使用収納時には、コンパクトに納めることができるものであって、その上簡易な構造であることが要請される。
【０００４】
ところで上記した特許文献１に記載の色紙収納板は、壁に掛けることのできる構造を備え、収納も良好になし得るが、卓上などに立設し得る構造とはなっていない。
【０００５】
この考案は、上記問題点に着目してなされたものであって、壁に吊り下げ可能、卓上等に立設可能であり、さらに未使用時にはコンパクトに収納でき、しかも簡単な操作で、これらの機能切換を実現できる紙葉ホルダを提供することを、目的とする。
【課題を解決するための手段】
【０００６】
この考案の紙葉ホルダは、色紙、写真等の紙葉を装着した額本体（１）と、少なくとも２枚の板体（１０ａ，１０ｂ）が一辺で折り曲げ自在に連接してなる支持板（１０）とから構成され、前記支持板の連接辺（１１）と平行な一端辺（１２）が前記額本体の下端辺あるいは裏面中央部（５）に接続され、かつ前記支持板の連接辺と平行な他端辺（１４）が前記裏面中央部あるいは前記下端辺（１ａ）と接離自在に係止する係止部を（１５ａ、１５ｂ））設け、前記支持板を前記係止部で係止することにより前記額本体を前記支持板にて立てて保持する場合と、前記係止部を離脱させることにより、前記額本体に沿って前記支持板を吊り下げる場合とを選択可能としたことを特徴とする。
【０００７】
この考案の紙葉ホルダにおいて、前記支持板の一端辺から他端辺までの長さと、前記額本体の上下方向の長さを同一に設定することが望ましい。
【０００８】
また、この考案の紙葉ホルダにおいて、前記支持板は、前記額本体裏面の中央部と一端辺が接着手段により接続され、他端辺近傍に係止突部を設け、この係止突部で前記額本体の下端辺を係止するようにすると良い。
【０００９】
また、この考案の紙葉ホルダにおいて、前記支持板の一端辺と前記額本体裏面の中央部とを接離する接着手段として、面ファスナあるいは磁石板を使用すると良い。
【００１０】
また、この考案の紙葉ホルダにおいて、前記支持板は、前記一端辺が前記額本体の下端辺に一体的に、折り曲げ自在に接続され、他端辺が前記額本体の裏面中央部に形成される係止突部で系止されるようにしても良い。
【考案の効果】
【００１１】
この考案によれば、２枚の支持板を折り曲げて先端の支持板を係止部で係止することで額本体を支持板にて立てて保持し、一方、係止部を離脱させることにより額本体にそって支持板を吊り下げることができ、簡単な操作で紙葉ホルダを吊り下げ、あるいは立設することができる。また、展示しない状態では、額本体を作品面を支持板で覆い、作品面を保護するので、未使用時に、簡易・コンパクトに保存することができる。
【考案を実施するための最良の形態】
【００１２】
以下、実施の形態により、この考案をさらに詳細に説明する。図１は、この考案の一実施形態紙葉ホルダの色紙を装着保持する額本体１を示す図であり、図１の（ａ）は、額本体１の平面図、図１の（ｂ）は額本体１の側面図、図１の（ｃ）は額本体１の裏面図である。
【００１３】
額本体１は、四辺形状の基板（マット）２と、マットカバー３とから構成され、基板２とマットカバー３の間に色紙４が装着されている。図示は省略しているが、基板２とマットカバー３の間には、上方より色紙４を挿入し、挿入する空部が形成されており、この空部に色紙４が装着される。基板２の裏面中央に面ファスナ５が設けられている。
【００１４】
なお、色紙４は、一般的に定型とされる縦２０ｃｍ・横１７ｃｍのもの、縦１８ｃｍ・横１６ｃｍのものに限るものではなく、額本体の色紙を挿入する空部に応じた適宜の大きさのものも含まれる。写真が貼付された台紙、写真それ自体などでも良い。
【００１５】
図２は、同実施形態紙葉ホルダの支持板１０を示す図であり、図２の（ａ）は、支持板１０の平面図、図２の（ｂ）は、支持板１０の側面図、図２の（ｃ）は、支持板１０の裏面図である。
【００１６】
支持板１０は、平面視、額本体１と同一の大きさの４辺形状であり、縦長さが同一（ｌａ＝ｌｂ）に設定された２枚の支持板１０ａ、１０ｂが辺１１で連接されている。連接部１１では、折り曲げ自在となっている。この支持板１０は、２枚の厚紙を並置し、各厚紙の表裏から２枚の布地シートで厚紙を挟んで貼付けし、連接部１１のみは、シートのみの直接貼り合わせで形成し、折り曲げ自在としたものを使用している。支持板１０は、支持板１０ａ，１０ｂを１枚の厚紙から構成し、連接部１１に相当する辺部分でカシメ工作により、折り曲げ自在の連接部を形成し、連接部１１で支持板１０ａと支持板１０ｂを区分けするようにして製作したものを使用しても良い。
【００１７】
上方の支持板１０ａの上端辺１２の中央部に面ファスナ片１３が設けられている。また、下方の支持板１０ｂの下端辺１４近傍に下端辺に沿って、２個の係止用の突部１５ａ、１５ｂが設けられている。
【００１８】
この実施形態紙葉ホルダは、上記した額本体１と、支持板１０とから構成されている。この実施形態紙葉ホルダを卓上などに立てて展示する場合は、図３に示すように、支持板１０ａの面ファスナ片１３を額本体１の裏面の面ファスナ５に接合し、一方、支持板１０ｂを支持板１０ａに対し、連接部１１で折り曲げて、額本体１の下端辺１ａを支持板１０ｂの突部１５ａ、１５ｂで係止する。これにより、額本体１は、卓上、台上などに立設され、額本体１の色紙４を、矢印Ａの方向から覧ることができる。
【００１９】
次に、この実施形態紙葉ホルダを吊り下げて展示する場合について説明する。先ず、図３に示す状態において、支持板１０ｂの突部１５ａ、１５ｂから額本体１の下端辺１ａの係止を解除する。この状態にして、壁に吊り下げた場合を図４に示す。図４の（ａ）は吊り下げた状態の正面図、図４の（ｂ）はその側面図である。図４の（ａ）において、額本体１は、額本体１に有する紐１ｂによって壁に掛けられる。額本体１の色紙４の下方支持板１０ｂが前方より目視でき、この支持板１０ｂの領域１０ｃに、作品のタイトル、作者名等が付されたキャップションを表示しておくことができる。このキャプション表示により、特に他にキャプションを作成付設する必要がない。
【００２０】
また、吊り下げた状態でキャプションを表示する必要が無い場合は、図５に示すように、支持板１０ｂを連接部１１で支持板１０ａの方に折り曲げて、額本体１の裏に隠すことができ、額本体１の色紙のみを展示することもできる。
【００２１】
また、未使用時には、支持板１０ａ、１０ｂを図６に示すように、額本体１の前面を覆って、面ファスナ片１３を額本体１の裏面上端の面ファスナで止めることにより、色紙部分を保護して運搬、収納できる。
【００２２】
なお、上記実施形態において、面ファスナ５と面ファスナ片１３の接着は、これに代えて磁石薄板を用いて行う用にしても良い。
【００２３】
次に、この考案の他の実施形態紙葉ホルダについて説明する。図７、図８は、この考案の紙葉ホルダ２０を示す図であり、図７の（ａ）は、その正面図、図７の（ｂ）はその側面図、図８は、同紙葉ホルダ２０の背面図である。この実施形態紙葉ホルダ２０は、額本体２１と、この額本体２１の下端辺に連接される支持板２４ａ、２４ｂから構成されている。
【００２４】
額本体２１は、四辺形状の基板（マット）２２と、マットカバー２３とから構成され、基板２２とマットカバー２３の間に色紙４が装着されている。基板２２の裏面上下方向の中央部に横方向に、支持板２４ｂの先端辺を係止する突部２７ａ，２７ｂが設けられている。
【００２５】
支持板２４は、平面視、本体枠２１と同一の大きさの４辺形状であり、縦長さが同一（ｌａ＝ｌｂ）に設定された２枚の支持板２４ａ、２４ｂが辺２６で連接されている。又支持板２４は、基板２２の下端辺に連接部２５で連接されている。連接部２５，２６では、折り曲げ自在となっている。基板２２及び支持板２４ａ、２４ｂは、基板２２用の厚紙１枚、支持板２４ａ，２４ｂ用の厚紙２枚を並置し、各厚紙の表裏から２枚の布地シートで厚紙を挟んで貼付けして一体的に構成し、連接部２５，２６のみは、シートのみの直接貼り合わせで形成し、折り曲げ自在としたものを使用している。
【００２６】
この実施形態紙葉ホルダを壁に展示する場合には、図７の（ａ）に示す状態で紐２１ｂで壁に吊り下げればよい。額本体２１の色紙４、及びその下方にある支持板２４（２４ａ，２４ｂ）が前方より目視でき、上側支持板２４ａ（あるいは下側支持板２４ｂ）の領域２４ｃに、作品のタイトル、作者名等が付されたキャップションを表示しておけば、やはり他に特にキャプションを作成付設する必要がない。
【００２７】
次に、この実施形態紙葉ホルダ２０を卓上などに立てて展示する場合は、例えば図７の（ａ）に示す状態から、基板２２と支持板２４ａの連接部２５で額本体２１の裏面側に折り込み、さらに支持板２４ｂを支持板２４ａに対し連接部２６で折り曲げて、支持板２４ｂの先端辺２８を基板２１の突部２７ａ、２７ｂで係止する。これにより、額本体２１は、図９に示すように卓上に立設され、額本体２１の色紙４を矢印Ｂの方向から覧ることができる。
【００２８】
また、吊り下げた状態でキャプションを表示する必要が無い場合は、図１０に示すように、支持板２４ａ、２４ｂを額本体２１の基板支持板２２の方に折り曲げて、額本体２１の裏に隠すことができ、額本体２１の色紙４のみを展示することもできる。
【００２９】
また、未使用時には、図１１に示すように、支持板２４ａ、２４ｂで、額本体２１の前面を覆うことにより、色紙部分を保護して運搬、収納できる。
【００３０】
尚、上記実施形態において、支持板２４ｂの先端辺２８と突部２７ａ、２７ｂの係止は、これに代えて磁石薄板を用いて接離自在としても良い。
【図面の簡単な説明】
【００３１】
【図１】この考案の一実施形態紙葉ホルダの額本体を示す図であり、（a）はその平面図，（ｂ）はその側面図、（ｃ）は、その裏面図、である。
【図２】同実施形態紙葉ホルダの支持板を示す図であり、（a）はその平面図，（ｂ）はその側面図、（ｃ）は、その裏面図、である。
【図３】同実施形態紙葉ホルダを卓上に立てた場合の側面図である。
【図４】同実施形態紙葉ホルダを吊り下げた場合を示す図であり，（ａ）はその正面図、（ｂ）はその側面図である
【図５】同実施形態紙葉ホルダの他の吊り下げ状態を説明するための側面図である。
【図６】同実施形態紙葉ホルダの保管時の状態を示す側面図である。
【図７】この考案の他の実施形態紙葉ホルダを示す図であり、（a）はその正面図、（ｂ）はその側面図である。
【図８】同実施形態紙葉ホルダの背面図である。
【図９】同実施形態紙葉ホルダを卓上に立てた場合の側面図である。
【図１０】同実施形態紙葉ホルダの他の吊り下げ状態を説明するための側面図である。
【図１１】同実施形態紙葉ホルダの保管時の状態を示す側面図である。
【符号の説明】
【００３２】
１、２１                  額本体
２、２２                  基板
３、２３                  マットカバー
５                        面ファスナ
１０、１０ａ、１０ｂ、
２４、２４ａ、２４ｂ      支持板
１１、２５、２６          連接部
１３                      面ファスナ片
１５ａ、１５ｂ、２７ａ、
２７ｂ                    係止用突部
【図１】
0003146033.tif 000003
【図２】
0003146033.tif 000004
【図３】
0003146033.tif 000005
【図４】
0003146033.tif 000006
【図５】
0003146033.tif 000007
【図６】
0003146033.tif 000008
【図７】
0003146033.tif 000009
【図８】
0003146033.tif 000010
【図９】
0003146033.tif 000011
【図１０】
0003146033.tif 000012
【図１１】
0003146033.tif 000013